(57)【特許請求の範囲】
【請求項１】
マンホール蓋の内外面間を貫通する一対の透孔に対して挿抜できる一対の脚部と、前記脚部間で水平方向へ長く延びる握持部とを有する取手において、
前記握持部は、第１端部と第２端部とによってその両端部が形成され、前記第１端部からは第１脚部が、前記第２端部からは第２脚部が下方へ延び、
前記第１脚部は、前記第１端部から垂直方向下方へ延びる第１垂下部と、前記第１垂下部の下端から前記握持部と直交する方向へ水平に延びる第１水平部と、前記第１水平部の先端から前記握持部の前記第１端部を延長する方向へ水平に延びる第２水平部とからなり、
前記第２脚部は、前記第２端部から垂直方向下方へ延びる第２垂下部と、前記第２垂下部の下端から前記握持部の前記延長方向とは反対の延長方向へ水平に延びる第３水平部とからなり、前記第２垂下部は上方部分と下方部分とに上下に二分されていて、前記下方部分は、それと一体の前記第３水平部が前記第１脚部の第１水平部と並列する位置にまでばね付勢に抗して前記上方部分を中心に回動可能に形成されていることを特徴とする前記取手。
【請求項２】
前記握持部と第１、２垂下部との間、前記第１、２垂下部それぞれと第１、３水平部それぞれとの間、および前記第１水平部と第２水平部との間では、金属丸棒がほぼ９０゜に折曲されている請求項１記載の取手。
【請求項３】
前記第２垂下部の上方部分と下方部分との間には、これら両部分よりも径が大きく、前記下方部分の外周面に固定されるとともに前記上方部分の外側に回動可能に嵌合する操作用摘みが形成され、前記摘みを回動させると前記下方部分と第３水平部分も回動し、前記摘みの一部が前記上方部分の一部に当接することによってその回動が停止する請求項１または２記載の取手。
【発明の詳細な説明】
【０００１】
【発明の属する技術分野】
この発明は、マンホール蓋を開閉するのに好適な取手に関する。
【０００２】
【従来の技術】
従来、マンホールの用途、設置場所によっては、蓋を簡単に開閉することができないように、取手が蓋に対して着脱できるように作られている場合がある。
【０００３】
【発明が解決しようとする課題】
そうした着脱式の取手に共通する問題の一つとして、取手を持って蓋を操作しているときに取手が蓋から外れるということがある。また、取手が外れないまでも、外れることがないように取手を上手に扱わなければならず、それには格別の注意と馴れとが必要になる。
【０００４】
この発明では、そうした問題を解消することが可能な取手の提供を課題にしている。
【０００５】
【課題を解決するための手段】
前記課題解決のために、この発明が対象とするのは、マンホール蓋の内外面間を貫通する一対の透孔に対して挿抜できる一対の脚部と、前記脚部間で水平方向へ長く延びる握持部とを有する取手である。
【０００６】
かかる取手において、この発明が特徴とするところは、次のとおりである。前記握持部は、第１端部と第２端部とによってその両端部が形成され、前記第１端部からは第１脚部が、前記第２端部からは第２脚部が下方へ延びている。前記第１脚部は、前記第１端部から垂直方向下方へ延びる第１垂下部と、前記第１垂下部の下端から前記握持部と直交する方向へ水平に延びる第１水平部と、前記第１水平部の先端から前記握持部の前記第１端部を延長する方向へ水平に延びる第２水平部とからなる。前記第２脚部は、前記第２端部から垂直方向下方へ延びる第２垂下部と、前記第２垂下部の下端から前記握持部の前記延長方向とは反対の延長方向へ水平に延びる第３水平部とからなる。前記第２垂下部は上方部分と下方部分とに上下に二分されていて、前記下方部分は、それと一体の前記第３水平部が前記第１脚部の第１水平部と並列する位置にまでばね付勢に抗して前記上方部分を中心に回動可能に形成されている。
【０００７】
【発明の実施の形態】
添付の図面を参照し、この発明に係る取手の詳細を説明すると以下のとおりである。
【０００８】
図４は、要部が示されたマンホール蓋２に取手１を着脱する一連の手順（ａ）〜（ｄ）を示す図面である。（ｄ）において、取手１は蓋２の上下面を貫通する一対の透孔３に取り外し可能に取り付けられており、握持部６を持つことによって蓋２を開閉することができる。
【０００９】
図１は、取手１の斜視図である。取手１は、金属製丸棒に曲げ加工を施すことによって形成されており、水平方向へ延びる握持部６を有する。握持部６は、第１端部７と第２端部８とを有し、これら第１、２端部７，８のそれぞれからは第１、２脚部１１，１２が下方へ延びている。
【００１０】
第１脚部１１は、握持部６の第１端部７から垂直下方へ延びる第１垂下部１３と、第１垂下部１３の下端から握持部６と直交する方向へ水平に延びる第１水平部１４と、第１水平部１４の先端から握持部６と平行に握持部６の第１端部７を延長する方向へ水平に延びる第２水平部１６とを有する。
【００１１】
第２脚部１２は、握持部６の第２端部８から垂直下方に垂下する第２垂下部２２と、第２垂下部２２の下端から握持部６の第１端部７とは反対端の第２端部８を延長する方向へ水平に延びる第３水平部２３とを有する。第２垂下部２２は、第１垂下部１３と実質的に同じ長さを有するが、上方部分２６と下方部分２７とに二分され、これら両部分２６，２７が下方部分２７に固定された操作用摘み２８を介して連結されている。図において摘み２８は、反時計方向Ｐへ回わすことができ、それとは反対の時計方向へはピン３(図２参照)の作用により回わすことができない。
【００１２】
図２は、摘み２８を反時計方向Ｐへ９０゜回わしたときの図１と同様の図面である。第２脚部１２では、摘み２８と一体の第２垂下部下方部分２７と第３水平部２３とが方向Ｐへ回わり、第３水平部２３と第１水平部１４とが並列状態になる。摘み２８は、その周方向へ長く延びる横孔２９を有し、横孔２９の内側には、第２垂下部上方部分２６から水平に延びるストッパー用ピン３１が位置している。取手１が図２の状態にあるときには、ピン３１が横孔２９の両側壁のうちの一方３０ａに当接して摘み２８はそれ以上方向Ｐへ回わすことができない。図１では、ピン３１が横孔２９の両側壁のうちのもう一方３０ｂに当接している。
【００１３】
図３は、図１の状態にある取手１の摘み２８を断面で示す取手１の側面図である。摘み２８は、円筒状のもので、第２垂下部２２の下方部分２７に対して溶接等の適宜の手段によって固定されている。摘み２８と第２垂下部２２の上方部分２６とは、互いのねじ部３３，３４で螺合しており、図示の状態にある摘み２８は方向Ｐへ９０゜だけ回わすことができる。摘み２８を方向Ｐまたはその逆方向へ回わすと、下方部分２７と第３水平部分２３とが上方部分２６に対して僅かに上昇または下降する。ストッパー用ピン３１は、上方部分２６に水平方向から螺着しているもので、上方部分２６から外すことが可能である。摘み２８よりも上方には、コイルばね３６が上方部分２６に緩く巻き付けられており、摘み２８の頂部にはコイルばね３６の下端部３７が固定されている。ばね３６の上端部３８は上方部分２６に固定されている。かかるばね３６は、摘み２８を方向Ｐとは逆の方向、即ち時計方向へ向かって付勢しているもので、第２垂下部１２の下方部分２７と第３水平部分２３とは、この付勢に抗して方向Ｐへ回動する。それゆえ、図２の取手１では、摘み２８から手を離すと、ばね３６の作用で下方部分２７と第３水平部分２３とが図１の状態へ戻る。
【００１４】
図４において、取手１を蓋２に取り付けるときの手順は次のとおりである。図の（ａ）では、図１の状態にある第３水平部２３を方向Ｐへ９０゜回わして第１水平部１４に並列している図２の状態にする。（ｂ）では、蓋２の一対の透孔３の一方に第２水平部１６とそれに続く第１水平部１４とを挿入し、第２水平部１６を蓋２の下面側に位置させる。第３水平部２３は、もう一方の透孔３へ向けて、そこに挿入できるようにしておく。（ｃ）では、並列している第１水平部１４と第３水平部２３とを一対の透孔３へ深く挿入し、握持部６を方向Ｑへ向けて起立させる。（ｄ）では、摘み２８から手を離し、または必要なら摘み２８に手をそえたまま、摘み２８とそれと一体の第３水平部２３とを時計方向へ９０゜回わし、蓋２の下面側にある第３水平部２３を図１の状態にする。このようになった取手１は、握持部６にどのような方向から手を掛けても蓋２から外れることがない。取手１を蓋２から外すときには、（ｄ）において摘み２８を反時計方向Ｐへ回わし、（ｃ）から（ａ）へと取手１を操作すればよい。
【００１５】
【発明の効果】
この発明に係る取手は、第３水平部を時計方向、反時計方向へ回すことができる。そのことによって、取手は蓋に簡単に取り付けることができ、取り付けた取手は蓋から外れなくなる。それゆえ、この取手は取り扱いが簡単で、しかも蓋を操作するときには、従来技術のように取手が蓋から外れるという恐れがない。
【図面の簡単な説明】
【図１】取手の斜視図。
【図２】第３水平部を９０゜回わした状態の取手の斜視図。
【図３】摘みを断面で示す取手の側面図。
【図４】（ａ）から（ｄ）によって取手の取り付け手順を示す図。
【符号の説明】
１    取手
２    蓋
３    透孔
６    握持部
７    第１端部
８    第２端部
１１    第１脚部
１２    第２脚部
１３    第１垂下部
１４    第１水平部
１６    第２水平部
２２    第２垂下部
２３    第３水平部
２６    上方部分
２７    下方部分
２８    摘み
【図１】
0003623434.tif 000002
【図２】
0003623434.tif 000003
【図３】
0003623434.tif 000004
【図４】
0003623434.tif 000005